(57)【特許請求の範囲】
【請求項１】
胴部(4) 上に口頸部(6) を備えた合成樹脂製の容器体(2) と、口頸部(6) に着脱可能に嵌合させた合成樹脂製のキャップ(3) とを備えてなる合成樹脂製容器に於いて、キャップ(3) 外周面に回動を防止して上方より嵌着させた嵌合筒(11)を頂板(12)裏面より垂設するとともに、頂板(12)周縁部より把持筒(13)を垂設し、且つ、外表面に蛍光性インキ層(9) を設けてなるホルダー(10)を着脱可能に装着したことを特徴とする合成樹脂製容器。
【請求項２】
上記把持筒(13)が平面視波型をなす凹凸外面(a) を有する把持筒である請求項１記載の合成樹脂製容器。
【発明の詳細な説明】
【０００１】
【発明の属する技術分野】
本発明は飲料容器に関する。
【０００２】
【従来の技術】
例えば清涼飲料水や水性薬剤等の飲料液を収納する飲料容器として、胴部より口頸部を起立した容器体と、上記口頸部に螺着させて着脱自在に装着したキャップとからなるものが一般に知られている。これらはキャップを外して収納液をそのまま或いは別の容器に移して飲むことが行われている。
【０００３】
【発明が解決しようとする課題】
従来の飲料用容器は、プラスチック製，ガラス製が多く使用されているが、夜間等の暗い場所での使用には当然不便が伴う。
【０００４】
本発明は上記した点に鑑みなされたもので、暗い場所での存在位置の確認，取り扱いが極めて便利であり、その構造も極めて簡単な飲料容器を提案することを課題の一つとする。
【０００５】
また、本発明の他の課題の一つは、キャップの取り外しが極めて容易に行える利点を兼ね備えた容器を提案するものである。
【０００６】
【課題を解決するための手段】
第１の手段として、以下の通り構成した。即ち、胴部４上に口頸部６を備えた合成樹脂製の容器体２と、口頸部６に着脱可能に嵌合させた合成樹脂製のキャップ３とを備え、外表面に蛍光性インキ層９を設けた。この場合には、もともと必要な容器の装飾や文字等に使用すれば従来品とほとんど同工程での製造が可能となる。
【０００７】
第２の手段として、以下の通り構成した。即ち、前記第１の手段に於いて、上記蛍光性インキ層９を、容器体２の胴部４外表面と、キャップ３の外表面との両方に設けてなる。この場合、蛍光性インキ層９が容器体２の胴部４外表面と、キャップ３の外表面に設けられているため、容器を高い位置に置いた場合でも或いは低い位置に置いた場合でも暗所での認識が可能であるという利点を兼ね備える。
【０００８】
第３の手段として、以下の通り構成した。即ち、前記第１の手段に於いて、上記容器体２を形成する合成樹脂がポリエチレンテレフタレートである。
【０００９】
第４の手段として、以下の通り構成した。即ち、胴部４上に口頸部６を備えた合成樹脂製の容器体２と、口頸部６に着脱可能に嵌合させた合成樹脂製のキャップ３とを備えてなる合成樹脂製容器に於いて、キャップ３外周面に回動を防止して上方より嵌着させた嵌合筒11を頂板12裏面より垂設するとともに、頂板12周縁部より把持筒13を垂設し、且つ、外表面に蛍光性インキ層９を設けてなるホルダー10を着脱可能に装着した。
【００１０】
第５の手段として、以下の通り構成した。即ち、前記第４の手段に於いて、上記把持筒13が平面視波型をなす凹凸外面ａを有する把持筒である。
【００１１】
【発明の実施の形態】
以下、本発明の実施の形態を図面を参照して説明する。
【００１２】
図面に示す如く本発明の合成樹脂製容器１は例えば飲料容器等に使用するもので、容器体２と、キャップ３とを備えている。
【００１３】
容器体２は、筒状の胴部上に口頸部を備えた合成樹脂製のもので、図示例では、筒状胴部４上端より肩部５を介して口頸部６を起立しているが、これに限られず、肩部のない寸胴のものであっても良い。この容器体２を形成する合成樹脂としては、この種の飲料容器に使用できるものであれば使用可能であるが、特に、耐光性，寸法安定性，耐熱性に優れたポリエチレンテレフタレートが好ましく使用できる。
【００１４】
また、キャップ３は、口頸部に着脱可能に嵌合させた合成樹脂製のもので、図示例では、口頸部６外周に螺着させた周壁７の上端縁より口頸部６上端開口を閉塞する頂壁８を延設している。
【００１５】
本発明では、この様な容器に於いて、外表面に蛍光性インキ層９を設けている。蛍光性インキ層９は、紫外線及び可視光線のうち青色部又は緑色部までの短波光を吸収し、それよりも長い長波長の可視光線を発するような性質を持つ蛍光顔料を使用した公知組成の蛍光性インキを用いて形成した層のことで、印刷により該当表面に塗布したり、或いは、蛍光性インキ層９を有する転写シート等のシート状物を貼着等の適宜固着手段により該当表面に設けることができる。
【００１６】
また、蛍光性インキ層９を形成する蛍光性インキのなかで、特に、日光、電灯などの光エネルギーを吸収−蓄積して、これを徐々に放出させて発光する性質をもった所謂残光を発するものを顔料成分とした蓄光インキを用いて形成した蛍光性インキ層を好ましく使用できる。
【００１７】
蛍光性インキ層９を設ける容器の外表面としては、容器体２の外表面、キャップ３の外表面が挙げられ、どちらか一方の外表面に設けても或いは両方の外表面に設けることも可能である。また、各外表面のどの部分にどのくらいの大きさで蛍光性インキ層９を設けるかは、必要に応じて適宜選択することができる。例えば、必要な文字，図柄等を蛍光性インキ層で形成することも可能である。図１の実施例では、キャップ３の上面と容器体胴部４の上部周縁部にそれぞれ蛍光性インキ層９を設けている。
【００１８】
また、蛍光性インキ層９の具体的な塗布形態としては、例えば、文字、模様、図形、部分的なべた塗り等或いはこれらの組み合わせなど種々の形態を採用できる。また、蛍光性インキ層９の表面には透明保護層（クリア層）を併せて印刷等の適宜手段により施すと良い。
【００１９】
図３は本発明の他の実施例を示すもので、筒状胴部４の上部に口頸部６を備えた合成樹脂製の容器体２と、口頸部６に螺着させた合成樹脂製のキャップ３とからなる容器であって、ホルダー10を着脱可能に装着している。
【００２０】
ホルダー10は合成樹脂等により形成されたもので、キャップ３外周面に回動を防止して上方より嵌着させた嵌合筒11を頂板12裏面より垂設するとともに、頂板12周縁部より把持筒13を垂設し、且つ、外表面に上記した蛍光性インキ層９を設けている。
【００２１】
ホルダー10の回動防止手段としては、上方より嵌合させて相互の回動を防止できるものであれば種々採用でき、図示例では、嵌合筒11内面に周方向多数設けた縦突条を、キャップ３の周壁７外周に周方向多数設けた縦突条に係合させて回動を防止させている。この他キャップ周壁の外面を平面視多角形や楕円形等の非円形に形成して、嵌合筒をそれに密嵌する如く構成することもできる。
【００２２】
把持筒13は、キャップ３の周壁７より大径に形成され、キャップ３の螺合をより容易に外すことができる如く構成したものであり、図示例の如く、円筒状に形成したものであっても、非円筒状であっても良い。図５は非円筒状の把持筒13を設けた例を示し、平面視波型をなす凹凸外面ａを有する把持筒13を設けている。この様なホルダー10を設けたものにあっては、収納液を使い切って容器を廃棄する際にホルダー10を他の容器に付け替えて同様の作用を付与することができる。尚、この場合も容器体２に同様の蛍光性インキ層９を設けておくことも可能である。
【００２３】
【発明の効果】
以上説明した如く、本発明の合成樹脂製容器は、既述構成としたことにより、夜間等の暗い場所での容器の存在位置の確認、使用に便利であり、しかも蛍光性インキ層９は印刷等の簡単方法で付与することができるため、製造も容易である。
【００２５】
第４の手段の合成樹脂製容器では、同様に暗所での認識が容易に行えるとともに、キャップ３を容易に外すことができる利点を兼ね備えている。
【００２６】
また、第５の手段の合成樹脂製容器では、把持筒13の凹凸外面ａに指をかけてのキャップの螺脱を行えるため、更に容易なキャップの取り外しが可能となる。
【図面の簡単な説明】
【図１】本発明容器の一実施例を示す側面図である。
【図２】同実施例のキャップの平面図である。
【図３】本発明の他の実施例を示す一部切欠要部側面図である。
【図４】同実施例のキャップの平面図である。
【図５】本発明の更に他の実施例を示す一部切欠要部側面図である。
【図６】同実施例のキャップの平面図である。
【符号の説明】
２…容器体，３…キャップ，４…胴部，６…口頸部，９…蛍光性インキ層，
10…ホルダー，11…嵌合筒，12…頂板，13…把持筒，ａ…凹凸外面
【図１】
0004169975.tif 000002
【図２】
0004169975.tif 000003
【図３】
0004169975.tif 000004
【図４】
0004169975.tif 000005
【図５】
0004169975.tif 000006
【図６】
0004169975.tif 000007